(57)【要約】【課題】表示画像に関する情報を効果的に利用して画像表示する。【解決手段】当該デジタルカメラの撮影情報を取得する（Ｓ１０１）。ここで撮影情報とは、「ＢＳモード」（撮影モード種）、「撮影季節」、「撮影時間」、「シャッタスピード」、「ＩＳＯ感度」である。次に、画像分析を実行し（Ｓ１０２）、取得した撮影情報と、画像分析結果、及び表示制御データテーブルの記憶内容に基づいて、「輝度」の制御要素「ＲＢ」、「ＧＢ」、「ＢＢ」、「コントラスト」の制御要素「ＲＣ」、「ＧＣ」、「ＢＣ」、「シャープネス」の制御要素「ＲＳ」、「ＧＳ」、「ＢＳ」毎に補正ポイントを算出する（Ｓ１０３）。次にこれらの補正ポイントに基づいて、画像データの「輝度」、「コントラスト」、「シャープネス」を補正した補正画像データを生成し（Ｓ１０４）、この補正画像データに基づく画像を表示部にスルー画像として表示する（Ｓ１０５）。【選択図】図４
2009077223.tif 000002
【特許請求の範囲】
【請求項１】
被写体を撮影して画像データを生成する撮影手段と、
画像を表示する表示手段と、
前記撮像手段により生成された画像データに基づき、前記表示手段に画像を表示させる表示制御手段と、
前記撮像手段の撮影時における情報である撮影情報を取得する取得手段と、
この取得手段により取得された前記撮影情報に基づき、前記画像を表示する表示手段の表示輝度を制御する輝度制御手段と
を備えることを特徴とする画像表示装置。
【請求項２】
操作に応答して、前記撮影手段により生成された画像データを記憶するとともに、この画像データに対応させて前記撮影情報を記憶する第１の記憶手段を更に備え、
前記表示制御手段は、更に前記第１の記憶手段に記憶された画像データを読み出して、前記表示手段に画像を表示させ、
前記取得手段は、前記第１の記憶手段から、前記表示制御手段により読み出された画像データに対応する前記撮影情報を取得することを特徴とする請求項１記載の画像表示装置。
【請求項３】
画像を表示する表示手段と、
画像データを記憶するとともに、付加情報を前記画像データに対応させて記憶した第１の記憶手段と、
この第１の記憶手段に記憶されている画像データを読み出して、前記表示手段に画像を表示させる表示制御手段と、
この表示制御手段により読み出された画像データに対応する前記付加情報に基づき、前記画像を表示する表示手段の表示輝度を制御する輝度制御手段と
を備えることを特徴とする画像表示装置。
【請求項４】
前記画像データは撮影画像データであり、
前記付加情報は、前記撮影画像データの撮影時の撮影情報、である
ことを特徴とする請求項３に記載の画像表示装置。
【請求項５】
前記画像データは、静止画又は動画であることを特徴とする請求項２又は４記載の画像表示装置。
【請求項６】
前記輝度制御手段は、前記撮影情報に対応して前記表示輝度を制御する輝度制御データを記憶した第２の記憶手段を備え、
この第２の記憶手段に記憶されている前記撮影情報に対応する輝度制御データに基づき、前記表示輝度を制御することを特徴とする請求項１、２、４、５の内いずれか１項に記載の画像表示装置。
【請求項７】
前記第２の記憶手段には、前記撮影情報に対応する輝度制御データとして数値が記憶され、
前記輝度制御手段は、前記撮影情報に対応して前記数値を読み出し、この読み出した数値に基づき、前記表示輝度を制御することを特徴とする請求項６記載の画像表示装置。
【請求項８】
前記撮影手段により生成された画像データ、又は前記第１の記憶手段に記憶された画像データを分析して分析結果データを得る分析手段を更に備え、
前記輝度制御手段は、前記撮影情報と前記分析手段の分析結果データとに基づき、前記表示手段の表示輝度を制御することを特徴とする請求項１、２、４〜７の内いずれか１項に記載の画像表示装置。
【請求項９】
前記輝度制御手段は、前記分析結果データに対応して前記表示輝度を制御する輝度制御データを記憶した第３の記憶手段を備え、
この第３の記憶手段に記憶されている前記分析結果データに対応する輝度制御データに基づき、前記表示輝度を制御することを特徴とする請求項８記載の画像表示装置。
【請求項１０】
前記第３の記憶手段には、前記分析結果データに対応する輝度制御データとして数値が記憶され、
前記輝度制御手段は、前記分析結果データに対応して前記数値を読み出し、この読み出した数値に基づき、前記表示輝度を制御することを特徴とする請求項９記載の画像表示装置。
【請求項１１】
前記分析手段は、前記画像データに基づく画像中において特定被写体を検出する被写体検出手段を備え、
前記輝度制御手段は、前記被写体検出手段により検出された特定被写体を示す情報を前記分析結果データとして、前記表示手段の表示輝度を制御することを特徴とする請求項８〜１０の内いずれか１項に記載の画像表示装置。
【請求項１２】
前記分析手段は、前記画像データに基づく画像の色味を検出する色味検出手段を備え、
前記輝度制御手段は、前記色味検出手段により検出された特定被写体を示す情報を前記分析結果データとして、前記表示手段の表示輝度を制御することを特徴とする請求項８〜１０の内いずれか１項に記載の画像表示装置。
【請求項１３】
前記輝度制御手段は、輝度、コントラスト、シャープネスのいずれか少なくとも一つを前記表示輝度として制御することを特徴とする請求項１〜１２の内いずれか１項に記載の画像表示装置。
【請求項１４】
被写体を撮影する撮像手段を備え、
前記画像データは、前記撮像手段により撮影された撮影画像データである
ことを特徴とする請求項４に記載の画像表示装置。
【請求項１５】
前記撮影情報は、シャッタスピード、ＩＳＯ感度、露出、撮影モード、撮影時間、撮影時期の内の少なくともいずれか１つを含む
ことを特徴とする請求項１、２、４〜１４の内いずれか１項に記載の画像表示装置。
【請求項１６】
前記表示手段は、液晶、有機ＥＬ、無機ＥＬ、ＤＭＤ、ＬＣＯＳ、Ｇ×Ｌのいずれか１つである
ことを特徴とする請求項１〜１５の内いずれか１項に記載の画像表示装置。
【請求項１７】
画像を表示する表示手段と、
画像データを記憶する第１の記憶手段と、
この第１の記憶手段に記憶されている画像データを読み出して、前記表示手段に画像を表示させる表示制御手段と、
前記画像データから特定被写体を検出する被写体検出手段と、
前記被写体検出手段により検出された前記特定被写体に基づき、前記画像を表示する表示手段の表示輝度を制御する輝度制御手段と
を備えることを特徴とする画像表示装置。
【請求項１８】
画像を表示する表示手段と、
画像データを記憶する第１の記憶手段と、
この第１の記憶手段に記憶されている画像データを読み出して、前記表示手段に画像を表示させる表示制御手段と、
前記画像データから画像の色味を検出する色味検出手段と、
前記色味検出手段により検出された前記色味に基づき、前記画像を表示する表示手段の表示輝度を制御する輝度制御手段と
を備えることを特徴とする画像表示装置。
【請求項１９】
被写体を撮影して画像データを生成する撮影手段と、画像を表示する表示手段とを備える表示装置が有するコンピュータを、
前記撮像手段により生成された画像データに基づき、前記表示手段に画像を表示させる表示制御手段と、
前記撮像手段の撮影時における情報である撮影情報を取得する取得手段と、
この取得手段により取得された前記撮影情報に基づき、前記画像を表示する表示手段の表示輝度を制御する輝度制御手段と
して機能させることを特徴とする画像表示プログラム。
【請求項２０】
画像を表示する表示手段と、画像データを記憶するとともに、付加情報を前記画像データに対応させて記憶した第１の記憶手段とを備える表示装置が有するコンピュータを、
前記第１の記憶手段に記憶されている画像データを読み出して、前記表示手段に画像を表示させる表示制御手段と、
この表示制御手段により読み出された画像データに対応する前記付加情報に基づき、前記画像を表示する表示手段の表示輝度を制御する輝度制御手段と
して機能させることを特徴とする画像表示プログラム。
【発明の詳細な説明】
【技術分野】
【０００１】
本発明は、画像表示装置、及びこの画像表示装置を制御するための画像表示プログラムに関する。
【背景技術】
【０００２】
従来、特許文献１記載の画像表示装置が知られている。この画像表示装置は、表示手段に表示する表示画像を分析し、その分析結果に基づき表示画像の色情報が離散的な分布となっているか、連続的な分布となっているかを判断することにより、文書系の画像であるか、写真系の画像であるかを判断している。そして、この判断結果に基づき、バックライトの明るさを制御することにより、表示画像に応じた表示画像の明るさ制御を行う。
【特許文献１】特開２００６−０４２０１４号公報
【発明の開示】
【発明が解決しようとする課題】
【０００３】
しかしながら、従来においては前述のように、表示手段に表示する表示画像を分析してはいるが、その分析は、文書系の画像であるか写真系の画像であるかを判断するだけの為のものであり、その分析結果に基づき、バックライトの明るさを制御しているにすぎなかった。
【０００４】
つまり、折角画像を分析しているにも係らず、文書系の画像であるか、写真系の画像であるかの情報しか抽出しておらず、より広い意味での画像情報（単に画像情報だけではなく、この画像情報に関連した情報、例えば画像情報が撮影画像である場合の撮影情報）の活用が課題となっていた。
【０００５】
本発明は、かかる従来の課題に鑑みてなされたものであり、表示画像に関する情報を効果的に利用して画像表示することのできる画像表示装置及び画像表示プログラムを提供することを目的とする。
【課題を解決するための手段】
【０００６】
前記課題を解決するため請求項１記載の発明に係る画像表示装置にあっては、被写体を撮影して画像データを生成する撮影手段と、画像を表示する表示手段と、前記撮像手段により生成された画像データに基づき、前記表示手段に画像を表示させる表示制御手段と、前記撮像手段の撮影時における情報である撮影情報を取得する取得手段と、この取得手段により取得された前記撮影情報に基づき、前記画像を表示する表示手段の表示輝度を制御する輝度制御手段とを備えることを特徴とする。
【０００７】
また、請求項２記載の発明に係る画像表示装置にあっては、操作に応答して、前記撮影手段により生成された画像データを記憶するとともに、この画像データに対応させて前記撮影情報を記憶する第１の記憶手段を更に備え、前記表示制御手段は、更に前記第１の記憶手段に記憶された画像データを読み出して、前記表示手段に画像を表示させ、前記取得手段は、前記第１の記憶手段から、前記表示制御手段により読み出された画像データに対応する前記撮影情報を取得することを特徴とする。
【０００８】
また、請求項３記載の発明に係る画像表示装置にあっては、画像を表示する表示手段と、画像データを記憶するとともに、付加情報を前記画像データに対応させて記憶した第１の記憶手段と、この第１の記憶手段に記憶されている画像データを読み出して、前記表示手段に画像を表示させる表示制御手段と、この表示制御手段により読み出された画像データに対応する前記付加情報に基づき、前記画像を表示する表示手段の表示輝度を制御する輝度制御手段とを備えることを特徴とする。
【０００９】
また、請求項４記載の発明に係る画像表示装置にあっては、前記画像データは撮影画像データであり、前記付加情報は、前記撮影画像データの撮影時の撮影情報、であることを特徴とする。
【００１０】
また、請求項５記載の発明に係る画像表示装置にあっては、前記画像データは、静止画又は動画であることを特徴とする。
【００１１】
また、請求項６記載の発明に係る画像表示装置にあっては、前記輝度制御手段は、前記撮影情報に対応して前記表示輝度を制御する輝度制御データを記憶した第２の記憶手段を備え、この第２の記憶手段に記憶されている前記撮影情報に対応する輝度制御データに基づき、前記表示輝度を制御することを特徴とする。
【００１２】
また、請求項７記載の発明に係る画像表示装置にあっては、前記第２の記憶手段には、前記撮影情報に対応する輝度制御データとして数値が記憶され、前記輝度制御手段は、前記撮影情報に対応して前記数値を読み出し、この読み出した数値に基づき、前記表示輝度を制御することを特徴とする。
【００１３】
また、請求項８記載の発明に係る画像表示装置にあっては、前記撮影手段により生成された画像データ、又は前記第１の記憶手段に記憶された画像データを分析して分析結果データを得る分析手段を更に備え、前記輝度制御手段は、前記撮影情報と前記分析手段の分析結果データとに基づき、前記表示手段の表示輝度を制御することを特徴とする。
【００１４】
また、請求項９記載の発明に係る画像表示装置にあっては、前記輝度制御手段は、前記分析結果データに対応して前記表示輝度を制御する輝度制御データを記憶した第３の記憶手段を備え、この第３の記憶手段に記憶されている前記分析結果データに対応する輝度制御データに基づき、前記表示輝度を制御することを特徴とする。
【００１５】
また、請求項１０記載の発明に係る画像表示装置にあっては、前記第３の記憶手段には、前記分析結果データに対応する輝度制御データとして数値が記憶され、前記輝度制御手段は、前記分析結果データに対応して前記数値を読み出し、この読み出した数値に基づき、前記表示輝度を制御することを特徴とする。
【００１６】
また、請求項１１記載の発明に係る画像表示装置にあっては、前記分析手段は、前記画像データに基づく画像中において特定被写体を検出する被写体検出手段を備え、前記輝度制御手段は、前記被写体検出手段により検出された特定被写体を示す情報を前記分析結果データとして、前記表示手段の表示輝度を制御することを特徴とする。
【００１７】
また、請求項１２記載の発明に係る画像表示装置にあっては、前記分析手段は、前記画像データに基づく画像の色味を検出する色味検出手段を備え、前記輝度制御手段は、前記色味検出手段により検出された特定被写体を示す情報を前記分析結果データとして、前記表示手段の表示輝度を制御することを特徴とする。
【００１８】
また、請求項１３記載の発明に係る画像表示装置にあっては、前記輝度制御手段は、輝度、コントラスト、シャープネスのいずれか少なくとも一つを前記表示輝度として制御することを特徴とする。
【００１９】
また、請求項１４記載の発明に係る画像表示装置にあっては、被写体を撮影する撮像手段を備え、前記画像データは、前記撮像手段により撮影された撮影画像データであることを特徴とする。
【００２０】
また、請求項１５記載の発明に係る画像表示装置にあっては、前記撮影情報は、シャッタスピード、ＩＳＯ感度、露出、撮影モード、撮影時間、撮影時期の内の少なくともいずれか１つを含むことを特徴とする。
【００２１】
また、請求項１６記載の発明に係る画像表示装置にあっては、前記表示手段は、液晶、有機ＥＬ、無機ＥＬ、ＤＭＤ、ＬＣＯＳ、Ｇ×Ｌのいずれか１つであることを特徴とする。
【００２２】
また、請求項１７記載の発明に係る画像表示装置にあっては、画像を表示する表示手段と、画像データを記憶する第１の記憶手段と、この第１の記憶手段に記憶されている画像データを読み出して、前記表示手段に画像を表示させる表示制御手段と、前記画像データから特定被写体を検出する被写体検出手段と、前記被写体検出手段により検出された前記特定被写体に基づき、前記画像を表示する表示手段の表示輝度を制御する輝度制御手段とを備えることを特徴とする。
【００２３】
また、請求項１８記載の発明に係る画像表示装置にあっては、画像を表示する表示手段と、画像データを記憶する第１の記憶手段と、この第１の記憶手段に記憶されている画像データを読み出して、前記表示手段に画像を表示させる表示制御手段と、前記画像データから画像の色味を検出する色味検出手段と、前記色味検出手段により検出された前記色味に基づき、前記画像を表示する表示手段の表示輝度を制御する輝度制御手段とを備えることを特徴とする。
【００２４】
また、請求項１９記載の発明に係る画像表示プログラムにあっては、被写体を撮影して画像データを生成する撮影手段と、画像を表示する表示手段とを備える表示装置が有するコンピュータを、前記撮像手段により生成された画像データに基づき、前記表示手段に画像を表示させる表示制御手段と、前記撮像手段の撮影時における情報である撮影情報を取得する取得手段と、この取得手段により取得された前記撮影情報に基づき、前記画像を表示する表示手段の表示輝度を制御する輝度制御手段として機能させることを特徴とする。
【００２５】
また、請求項２０記載の発明に係る画像表示プログラムにあっては、画像を表示する表示手段と、画像データを記憶するとともに、付加情報を前記画像データに対応させて記憶した第１の記憶手段とを備える表示装置が有するコンピュータを、前記第１の記憶手段に記憶されている画像データを読み出して、前記表示手段に画像を表示させる表示制御手段と、この表示制御手段により読み出された画像データに対応する前記付加情報に基づき、前記画像を表示する表示手段の表示輝度を制御する輝度制御手段として機能させることを特徴とする。
【発明の効果】
【００２６】
本発明によれば、表示画像に関する情報を効果的に利用して画像表示することができる。
【発明を実施するための最良の形態】
【００２７】
以下、本発明の実施の形態を図にしたがって説明する。図１は、本発明一実施の形態を適用したデジタルカメラ１の電気的構成の概略を示すブロック図である。デジタルカメラ１は、撮像レンズ１０の光軸後方に配置された撮像素子であるＣＣＤ１１を備えている。ＣＣＤ１１は、タイミング発生器（ＴＧ）１２、垂直ドライバ１３によって走査駆動され、一定周期で１画面分の撮像信号を出力する。
【００２８】
ＣＣＤ１１の出力信号は、アナログ信号の状態でＲＧＢの原色成分毎に適宜ゲイン調整された後に、サンプルホールド回路（Ｓ／Ｈ）１４でサンプルホールドされ、Ａ／Ｄ変換器１５でデジタルデータに変換されカラープロセス回路１６に送られる。カラープロセス回路１６は画像補間処理を含むカラープロセス処理により、デジタル値の輝度信号Ｙ及び色差信号Ｃｂ，Ｃｒを生成し、ＤＭＡ（Ｄｉｒｅｃｔ  Ｍｅｍｏｒｙ Ａｃｃｅｓｓ）ＤＭＡコントローラ１７に出力する。
【００２９】
ＤＭＡコントローラ１７は輝度信号Ｙ及び色差信号Ｃｂ，Ｃｒを、カラープロセス回路１６からの複合同期信号、メモリ書込みイネーブル信号、及びクロック信号を用いて一度ＤＭＡコントローラ１７内部のバッファに書込み、ＤＲＡＭインタフェース（Ｉ／Ｆ）１８を介してＤＲＡＭ１９にＤＭＡ転送する。制御部２０は、上記輝度及び色差信号データ、つまり画像データのＤＲＡＭ１９へのＤＭＡ転送終了後に、その画像データを、ＤＲＡＭインタフェース１８を介してＤＲＡＭ１９から読み出し、ＶＲＡＭコントローラ２１を介してＶＲＡＭ２２に書き込む。
【００３０】
デジタルビデオエンコーダ２３は、上記画像データを、ＶＲＡＭコントローラ２１を介してＶＲＡＭ２２より定期的に読出し、これらのデータを元にビデオ信号を発生して表示部２４に出力する。表示部２４は本発明の表示手段であり、液晶モニタとその駆動回路等により構成され、デジタルビデオエンコーダ２３からのビデオ信号に基づいた表示を行うことで、その時点でＶＲＡＭコントローラ２１から取り込まれている画像情報に基づくスルー画像を表示する。
【００３１】
キー入力部２５は、電源キー、シャッタキー、撮影モードと再生モードを切り換え設定するモード設定キー等の各キーを含み、スルー画像が表示されている状態でシャッタキーが操作されると、撮像開始用のトリガ信号を発生する。撮影モードによる静止画撮像モード時には、上記トリガ信号に応じて制御部２０がＣＣＤ１１からのＤＲＡＭ１９への経路を停止し、ＤＲＡＭ１９に書込まれている１フレーム分の画像データを、ＤＲＡＭインタフェース１８を介して読み出し、ＪＰＥＧ回路２６に送る。ＪＰＥＧ回路２６では送られた画像データを圧縮符号化し、圧縮された画像データは制御部２０によって読み出され、静止画ファイルとして不揮発性メモリであるフラッシュメモリ２７に記録される。
【００３２】
また、撮影モードによる動画撮像モード時には、上記トリガ信号に応じて制御部２０がＣＣＤ１１からのＤＲＡＭ１９への経路を停止し、ＤＲＡＭ１９に順次書込まれている複数フレーム分の画像データを、ＤＲＡＭインタフェース１８を介して読み出し、ＪＰＥＧ回路２６に送る。ＪＰＥＧ回路２６では送られた複数フレーム分の画像データを圧縮符号化し、圧縮された画像データは制御部２０によって読み出され、動画ファイルとして不揮発性メモリであるフラッシュメモリ２７に記録される。
【００３３】
フラッシュメモリ２７に記録された画像ファイルは、再生モードにおいて、操作キー等による選択操作に応じてＪＰＥＧ回路２６に読み込まれ、そこで画像データに復号された後、必要に応じて制御部２０で輝度、コントラスト、シャープネスを制御されて、ＶＲＡＭコントローラ２１を介してＶＲＡＭ２２へ送られ、表示部２４で表示される。
【００３４】
また、制御部２０は、主としてＣＰＵ及びその周辺回路と、ＣＰＵの作業用メモリであるＲＡＭ（内部メモリ）、及びカレンダ機能を有する内蔵時計から構成されるマイクロコンピュータであり、フラッシュメモリ２７に確保されているプログラム領域に格納されているプログラムに基づき動作し、前述した各部の動作を制御する。したがって、制御部２０は、前記カレンダ機能により撮影日時に対応する「春」、「夏」、「秋」、「冬」の撮影季節データを生成し、「朝」、「昼」、「夕方」、「夜」の撮影時間データを生成することが可能である。
【００３５】
フラッシュメモリ２７には、前記プログラムとともに図２に示す表示制御データテーブル２７０が記憶されている。この表示制御データテーブルは、撮影情報に対応して表示制御データを記憶した第１記憶部（第１の記憶手段）２７１と、画像分析データに対応して表示制御データを記憶した第２記憶部（第２の記憶手段）２７２とに大別される。
【００３６】
第１記憶部２７１には、下記（１）〜（５）に各々対応して表示制御データである「輝度」、「コントラスト」、「シャープネス」の設定値が記憶されている。
（１）様々な撮影シーンに対応する撮影モードである「ＢＳモード」の種別「自然モード」、「人物モード」、「スポーツモード」、「夜景モード」
（２）「撮影季節」の種別である「春」、「夏」、「秋」、「冬」
（３）「撮影時間」の種別である「朝」、「昼」、「夕方」、「夜」、
（４）「シャッタスピード」の種別である「１／５０まで」、「１／００まで」、「１／４００まで」、「それ以上」
（５）「ＩＳＯ感度」の種別である「１００まで」、「２００まで」、「４００まで」、「それ以上」。
【００３７】
また、第２記憶部２７２には、下記（６）（７）に各々対応して表示制御データである「輝度」、「コントラスト」、「シャープネス」の設定値（補正値）が記憶されている。
（６）「特定被写体」の種別である「人の顔」、「木や森」、「海や川」、「空」
（７）「画像全体の色味」の種別である「赤が多い」、「青が多い」、「緑が多い」、「白が多い」
なお、「赤が多い」、「青が多い」、「緑が多い」、「白が多い」の判断は、当該画像において例えば各色が３０％以上である場合に「多い」と判断する。
【００３８】
また、表示制御データにおいて、「輝度」は制御要素「ＲＢ」、「ＧＢ」、「ＢＢ」で構成され、「コントラスト」は制御要素「ＲＣ」、「ＧＣ」、「ＢＣ」で構成され、「シャープネス」は制御要素「ＲＳ」、「ＧＳ」、「ＢＳ」で構成されている。これら各制御要素は、以下の制御内容を意味する。
【００３９】
・「輝度」
ＲＢ・・・赤の輝度：輝度は液晶の表示画面全体の表示輝度を変更することにより調節する。
ＧＢ・・・緑の輝度：輝度は液晶の表示画面全体の表示輝度を変更することにより調節する。
ＢＢ・・・青の輝度：輝度は液晶の表示画面全体の表示輝度を変更することにより調節する。
ＲＣ・・・画像の赤コントラスト：液晶の表示輝度のガンマカーブを変更することにより調節する。
【００４０】
・「コントラスト」
ＧＣ・・・画像の緑コントラスト：液晶の表示輝度のガンマカーブを変更することにより調節する。
ＢＣ・・・画像の青コントラスト：液晶の表示輝度のガンマカーブを変更することにより調節する。
ＲＣ・・・画像の赤シャープネス：液晶の表示輝度の特に高周波成分の表示具合を変更することにより調節する。
【００４１】
・「シャープネス」
ＧＣ・・・画像の緑シャープネス：液晶の表示輝度の特に高周波成分の表示具合を変更することにより調節する。
ＢＣ・・・画像の青シャープネス：液晶の表示輝度の特に高周波成分の表示具合を変更することにより調節する。
【００４２】
通常、輝度、コントラスト、シャープネスの各制御は、色別ではなく、画像全体に対しておこなうことが多いが、この実施例ではＲ，Ｇ，Ｂの各色毎におこなっている。
【００４３】
なお、輝度、コントラスト、シャープネスの各制御は、色別ではなく、画像全体に対しておこなっても構わないことは当然である。
【００４４】
なお、「特定被写体」の種別である「人の顔」については顔認識処理により、その他の「木や森」、「海や川」、「空」については例えばパターンマッチングにより、各々画像から抽出することが可能である。
【００４５】
以上の構成に係る本実施の形態において、制御部２０はフラッシュメモリ２７に格納されているプログラムに基づき、図３のフローチャートに示す処理を実行する。すなわち、電源がＯＮとなっているか否かを判断し（ステップＳ１）、ＯＦＦとなった時点でエンドに進みこのフローに従った処理を終了する。
【００４６】
電源がＯＮ状態に維持されていると、ステップＳ１からステップＳ２に進み、撮影モードと再生モードのいずれが設定されているを判断する。撮影モードが設定されている場合には、前記表示制御データテーブル２７０をフラッシュメモリ２７から取得して、制御部２０内のＲＡＭに展開する（ステップＳ３）。次に、ＣＣＤ１１により一定周期で撮像される画像データをＤＲＡＭ１９から取得して（ステップＳ４）、画像表示制御処理を実行する（ステップＳ５）。
【００４７】
図４は、この画像表示制御処理（ステップＳ５）の処理手順を示すフローチャートである。まず、当該デジタルカメラ１の撮影情報を取得する（ステップＳ１０１）。ここで撮影情報とは、前記第１記憶部２７１に記憶されている撮影情報種別に対応する撮影情報であり、ユーザにより予め設定されている「ＢＳモード」、制御部２０の計時手段により計時されている現在時刻に対応する「撮影季節」、「撮影時間」、手動設定あるいは自動設定されている「シャッタスピード」、「ＩＳＯ感度」である。
【００４８】
次に、画像分析を実行する（ステップＳ１０２）。この画像分析においては、前記ステップＳ４で取得した画像データに基づく画像を分析して、前記第２記憶部２７２に記憶されている「特定被写体」の種別である「人の顔」、「木や森」、「海や川」、「空」が存在するかの判定、及び「画像全体の色味」の種別である「赤が多い」、「青が多い」、「緑が多い」、「白が多い」のいずれかの状態があるか否かの判定を行う。
【００４９】
そして、次のステップＳ１０３においては、前記ステップＳ１０１で取得した撮影情報と、前記ステップＳ１０２での画像分析結果、及び表示制御データテーブル２７０の記憶内容に基づいて、「輝度」の制御要素「ＲＢ」、「ＧＢ」、「ＢＢ」、「コントラスト」の制御要素「ＲＣ」、「ＧＣ」、「ＢＣ」、「シャープネス」の制御要素「ＲＳ」、「ＧＳ」、「ＢＳ」毎に補正ポイントを算出する。
【００５０】
すなわち、例えばステップＳ１０１で取得された撮影情報が下記であったとする。
「ＢＳモード」・・・・・・「自然モード」
「撮影季節」・・・・・・・「夏」
「撮影時間」・・・・・・・「夕方」
「シャッタスピード」・・・「１／４００」
「ＩＳＯ感度」・・・・・・「４０１以上」
また、ステップＳ１０２での判定結果が下記であったとする。
「特定被写体」・・・・・・「木や森」
「画像全体の色味」・・・・「緑が多い」
【００５１】
すると、以上に基づき表示制御データテーブル２７０から読み出されれる「輝度」の制御要素「ＲＢ」のポイントは、下記のとおりである。
「ＢＳモード」・・・・・・「自然モード」＝０
「撮影季節」・・・・・・・「夏」        ＝０
「撮影時間」・・・・・・・「夕方」      ＝＋１
「シャッタスピード」・・・「１／４００」＝０
「ＩＳＯ感度」・・・・・・「４０１以上」＝＋２
「特定被写体」・・・・・・「木や森」    ＝０
「画像全体の色味」・・・・「緑が多い」  ＝０
【００５２】
そして、これら読み出したポイントを合計して、（＋１）＋（＋２）＝＋３を「輝度」の制御要素「ＲＢ」の補正ポイントとして算出する。また、他の「輝度」の制御要素「ＧＢ」、「ＢＢ」、「コントラスト」の制御要素「ＲＣ」、「ＧＣ」、「ＢＣ」、「シャープネス」の制御要素「ＲＳ」、「ＧＳ」、「ＢＳ」に関しても同様に補正ポイントを算出する。これにより、下記に例示する補正ポイントが算出される
「輝度」・・・・・・・「ＲＢ」＝＋３、「ＧＢ」＝＋５、「ＢＢ」＝＋４
「コントラスト」・・・「ＲＣ」＝＋３、「ＧＣ」＝＋５、「ＢＣ」＝＋１
「シャープネス」・・・「ＲＳ」＝＋１、「ＧＳ」＝＋４、「ＢＳ」＝＋２
【００５３】
したがって、次にこれらの補正ポイントに基づいて、前記ステップＳ４で取得した画像データの「輝度」、「コントラスト」、「シャープネス」を補正した補正画像データを生成し（ステップＳ１０４）、この補正画像データに基づく画像を表示部２４にスルー画像として表示する（ステップＳ１０５）。
【００５４】
よって、表示部２４には、ステップＳ４で取得した画像データのみに依存することなく、前記撮影情報である「ＢＳモード」、「撮影季節」、「撮影時間」、「シャッタスピード」、「ＩＳＯ感度」により、効果的なスルー画像表示制御を行うことができる。
【００５５】
しかも、「輝度」、「コントラスト」、「シャープネス」を補正することから、より効果的なスルー画像表示制御を行うことができる。また、表示制御データテーブル２７０を用いることから対応する値を読み出して加算する簡単な処理となる。よって、極めて簡単な処理で効果的なスルー画像表示制御を行うことができる。
【００５６】
そして、このようにして図３のステップＳ５で表示部２４にスルー画像を表示している状態において、ユーザの操作による撮影指示があったか否かを判断し（ステップＳ６）、撮影指示があった場合には、前記ステップＳ４で取得した画像データと対応させて、前記ステップＳ４で取得した撮影情報をフラッシュメモリ２７に記録する。
【００５７】
このとき、撮影モードにおいて静止画撮影モードが設定されている場合には、シャッタキーが操作された時点においてのみ撮影指示が発生し、ステップＳ６の判断がＹＥＳとなる。よって、フラッシュメモリ２７には、単一の画像データに対応して、撮影情報が記録されることとなる。また、動作撮影モードが設定されている場合には、例えばシャッタキーが押下されている間は継続的に撮影指示が発生することから、ステップＳ６の判断が連続的にＹＥＳとなる。したがって、ステップＳ６の判断がＹＥＳとなる都度、ステップＳ７の処理がなされることにより、フラッシュメモリ２７には、動画データを構成する各フレーム画像データ毎に各々対応する撮影情報が記録されることとなる。
【００５８】
また、動画データ全体に対して、撮影開始日時、撮影終了日時、撮影時間、といった撮影情報を共に記録する。
【００５９】
したがって、ユーザが動画撮影中に例えば「ＩＳＯ感度」を変更する等の撮影条件の変更を行った場合であっても、該当フレーム画像データに対応して変更した撮影条件をフラッシュメモリ２７に記録することができる。
【００６０】
また、ステップＳ７に続くステップＳ８では、撮影モードから再生モードへの切替がなされたか否かを判断し、撮影モードの状態が継続している限り、ステップＳ４〜Ｓ８のループを繰り返す。そして、撮影モードから他のモード（再生モードや電源ＯＦＦ）への切替がなされた時点でステップＳ８からステップＳ１に戻る。
【００６１】
こうして再生モードが設定されたとき、電源がＯＮ状態にあれば、ステップＳ１→Ｓ２→Ｓ９と進み、前記表示制御データテーブル２７０をフラッシュメモリ２７から取得して、制御部２０内のＲＡＭに展開する（ステップＳ９）。次に、フラッシュメモリ２７に記録されている画像データを制御部２０内のＲＡＭ（内部メモリ）に読み出す（ステップＳ１０）。引き続き、この読み出した画像データが静止画データと動画データのいずれであるかを判断する（ステップＳ１１）。静止画データである場合には、画像表示制御処理を実行する（ステップＳ１２）。
【００６２】
この画像表示制御処理（ステップＳ１２）は、前述したステップＳ５の処理と同様であて、図４のフローチャートに従って実行されるが、撮影情報の取得対象や画像分析の対象画像はステップＳ５の場合とは異なる。すなわち、前記ステップＳ１０で読み出した画像データに対応してフラッシュメモリ２７に記憶されている撮影情報を取得する（ステップＳ１０１）。ここで撮影情報とは、前記ステップＳ７で画像データに対応してフラッシュメモリ２７に記憶された「ＢＳモード」、「撮影季節」、「撮影時間」、「シャッタスピード」、「ＩＳＯ感度」の内容である。
【００６３】
次に、画像分析を実行する（ステップＳ１０２）。この画像分析においては、前記ステップＳ１０で読み出した画像データに基づく画像を分析して、前記第２記憶部２７２に記憶されている「特定被写体」の種別である「人の顔」、「木や森」、「海や川」、「空」が存在するかの判定、及び「画像全体の色味」の種別である「赤が多い」、「青が多い」、「緑が多い」、「白が多い」のいずれかの状態があるか否かの判定を行う。
【００６４】
なお、本実施の形態においては、このように再生時においても記録した画像データに基づく画像分析を行うようにしたが、前述した撮影時における画像分析結果である「特定被写体」の種別、及び「画像全体の色味」の種別を画像データとともに、フラッシュメモリ２７に記憶しておくことにより、再生時には画像分析を行うことなく、記録しておいた撮影時の分析結果を読み出すようにしてもよい。これにより、再生時の画像分析を省略して、再生時の処理の簡単化を図ることができる。
【００６５】
そして、次のステップＳ１０３においては、前記ステップＳ１０１で取得した撮影情報と、前記ステップＳ１０２での画像分析結果、及び表示制御データテーブル２７０の記憶内容に基づいて、前述したように、「輝度」の制御要素「ＲＢ」、「ＧＢ」、「ＢＢ」、「コントラスト」の制御要素「ＲＣ」、「ＧＣ」、「ＢＣ」、「シャープネス」の制御要素「ＲＳ」、「ＧＳ」、「ＢＳ」毎に補正ポイントを算出する。引き続き、これらの補正ポイントに基づいて、前記ステップＳ４で取得した画像データの「輝度」、「コントラスト」、「シャープネス」を補正した補正画像データを生成し（ステップＳ１０４）、この補正画像データに基づく画像を表示部２４に再生画像として表示する（ステップＳ１０５）。
【００６６】
よって、表示部２４には、ステップＳ１０で読み出して画像データのみに依存することなく、記録時の撮影情報である「ＢＳモード」、「撮影季節」、「撮影時間」、「シャッタスピード」、「ＩＳＯ感度」により、効果的な再生画像表示制御を行うことができる。
【００６７】
しかも、記録時の撮影情報のみならず、画像データに基づく画像自体の情報である「特定被写体」、「画像全体の色味」に基づいても、「輝度」、「コントラスト」、「シャープネス」が調整されることから、当該画像の特性に応じた効果的な再生画像表示制御を行うこともできる。
【００６８】
そして、このようにして図３のステップＳ１２で表示部２４に再生画像を表示したならば、ユーザの操作による別画像データの読み出し指示指示があったか否かを判断する（ステップＳ１６）。別画像データの読み出し指示指示があった場合には、ステップＳ１０に戻って、フラッシュメモリ２７から次の画像データを読み出す。また、別画像データの読み出し指示指示がなかった場合には、再生モードから撮影モードへの切替がなされたか否かを判断し（ステップＳ１７）、再生モードから他のモード（撮影モードや電源ＯＦＦ）への切替がなされ時点でステップＳ１７からステップＳ１に戻る。
【００６９】
他方、ステップＳ１１での判断の結果、読み指した画像データが複数のコマ（フレーム画像）で構成される動画データである場合には、複数のコマからなる動画データが読み出されて一時的に格納されている前記ＲＡＭ（内部メモリ）から順次１コマの画像データを読み出す（ステップＳ１３）。そして、この順次読み出した１コマの画像データに対して、前述と同様の画像表示制御処理（ステップＳ１４）を実行する。
【００７０】
より詳細には、表示するデータが動画データである場合には、動画データはフラッシュメモリ２７に録画されており、動画を表示する際には、読出し速度の観点から、フラッシュメモリ２７より読み出し速度の速い記憶媒体であるＤＲＡＭ１９に動画を構成する複数のコマのうち、少なくとも所定のコマ数をＲＡＭへ先に読出しをおこなっておいて、ステップＳ１３では、このＤＲＡＭ１９より画像データを読み出している。
【００７１】
すなわち、ステップＳ１３で読み出した１コマの画像データに対応してフラッシュメモリ２７に記憶されていた撮影情報を取得し（ステップＳ１０１）、この１コマの画像データに対して画像分析を実行する（ステップＳ１０２）。次のステップＳ１０３においては、前記ステップＳ１０１で取得した撮影情報と、前記ステップＳ１０２での画像分析結果、及び表示制御データテーブル２７０の記憶内容に基づいて、１コマの画像データ補正画像データを生成し（ステップＳ１０４）、この補正画像データに基づく画像を表示部２４に動画における１コマの再生画像として表示する（ステップＳ１０５）。
【００７２】
なお、ここで上記した撮影情報とは、撮影開始日時、撮影終了日時、撮影時間、撮影モード、などとしても良い。
【００７３】
このようにして、ステップＳ１０１〜Ｓ１０５からなるステップＳ１４の処理を実行したならば、次のステップＳ１５で当該動画データの再生を終了したか否かを判断し、当該動画データの再生を終了するまで、ステップＳ１３→Ｓ１４→Ｓ１５→Ｓ１３のループを繰り返す。したがって、このステップＳ１３→Ｓ１４→Ｓ１５→Ｓ１３のループは、動作撮影時と同様のフレームレートに対応する周期で実行され、このフレームレートで順次１コマの画像が再生されることより、表示部２４には撮影時と同一のフレームレートで動画が再生表示されることとなる。
【００７４】
このとき、前述のように、ユーザが動画撮影中に例えば「ＩＳＯ感度」を変更する等の撮影条件の変更を行った場合には、該当フレーム画像データに対応して記録されている変更した撮影条件が読み出されることとなる。よって、ユーザが動画撮影中に撮影条件の変更を行った場合には、当該動画部分を変更した撮影条件に応じた「輝度」、「コントラスト」、「シャープネス」で表示することができる。そして、当該動画データの再生が終了することによりステップＳ１５の判断がＹＥＳとなると、ステップＳ１５から前述したステップＳ１６に進む。
【００７５】
なお、本実施の形態においては、撮影モード時と再生モード時とにおいて、同一内容の表示制御データテーブル２７０を用いるようにしたが、撮影モード時と再生モード時とで異なる内容の表示制御データテーブルを用いるようにしてもよい。この場合、撮影モード時には、全体的に「輝度」、「コントラスト」、「シャープネス」の設定値が高い表示制御データテーブルを用いるようにしてもよい。これにより、例えば、撮影時には明瞭なメリハリのあるスルー画像表示を行い、再生時にはより自然な画像表示を行うといった、表示態様の適正な差別化を図ることができる。
【００７６】
また、本実施の形態においては、「輝度」、「コントラスト」、「シャープネス」を制御するようにしたが、いずれか少なくとも一つを制御すればよい。また、表示部２４がバックライトを備えるものである場合には、バックライトの明るさをも制御し、あるいはバックライトの明るさのみを制御するようにしてもよい。
【００７７】
また、本実施の形態においては、「輝度」、「コントラスト」、「シャープネス」が、ＲＧＢそれぞれについて定義されているが、このようではなく、１つの値のみで定義しても良い。
【００７８】
また、「輝度」、「コントラスト」、「シャープネス」の各制御については、上記実施例においては画像全体に対して行なうように構成したが、画像全体を小エリアに分けて、小エリア毎に制御するように構成しても良い。
【００７９】
例えば、コントラストやシャープネスといった値は、画像の高周波成分に対しての値や、白黒画像に対しての値であっても構わない。
【００８０】
なお、表示部は、液晶、有機ＥＬ、無機ＥＬ、ＤＭＤ、ＬＣＯＳ、Ｇ×Ｌの何れであっても構わず、他の表示部であっても、輝度を制御可能なものであれば良い。
【００８１】
なお、上記実施例では、表示する画像は撮影画像であるとして、画像データに対応させて記録するのは撮影情報であるとしたが、このようではなくとも構わず、記憶する画像は例えばイラスト画像であって、この画像に対応付けて記録するのは例えばイラスト画像の製作情報（例えば作者名、製作日、その画像を作成したタッチ（例えば水彩画風であるなど））であって、この製作情報に基づいて表示輝度を変更するようにしても良い。
【図面の簡単な説明】
【００８２】
【図１】本発明の一実施の形態を適用したデジタルカメラの電気的構成の概略を示すブロック図である。
【図２】表示制御データテーブルの構成を示す概念図である。
【図３】本実施の形態の処理手順を示すフローチャートである。
【図４】図３のフローチャートにおけるステップＳ５、Ｓ１２、Ｓ１４の画像表示制御処理の手順を示すフローチャートである。
【符号の説明】
【００８３】
１    デジタルカメラ
１０    撮像レンズ
１１    ＣＣＤ
１３    垂直ドライバ
１５    Ａ／Ｄ変換器
１６    カラープロセス回路
１７    ＤＭＡコントローラ
１９    ＤＲＡＭ
２０    制御部
２２    ＶＲＡＭ
２３    デジタルビデオエンコーダ
２４    表示部
２５    キー入力部
２６    ＪＰＥＧ回路
２７    フラッシュメモリ
２７０    表示制御データテーブル
２７１    第１記憶部
２７２    第２記憶部
【図１】
2009077223.tif 000003
【図２】
2009077223.tif 000004
【図３】
2009077223.tif 000005
【図４】
2009077223.tif 000006